(57)【要約】【課題】型枠を用いてコンクリートや充填材を打設する施工において、容易にできる型枠工法を提供する。【解決手段】所定の間隔で設けられたセパレータに、面板と連結材を組立解体自在に固定する金具であって、正面視で、中央の中心軸方向に前記セパレータ貫通用の孔を備えた中央基部と、同一平面上で十文字方向に配置される連結材を枠板方向に着脱自在に係止する締結部で構成されることを特徴とする十文字型枠締結金具。また、前記十文字型枠締結金具を用いて型枠を分割して、組み立て解体し、階層状に打設可能にしたことを特徴とする型枠工法。【選択図】図２
2018178683.tif 000002
【特許請求の範囲】
【請求項１】
型枠を用いてコンクリートや充填材を打設する施工において、
所定の間隔で設けられたセパレータに、面板と十文字方向の連結材を組立解体自在に固定する金具であって、
正面視で、前記面板に平行な面を有して中央に中心軸方向の前記セパレータ貫通用の孔を備えた中央基部と、
該中央基部に結合されていて、前記セパレータを中心として、同一平面内で十文字方向に設置される前記連結材を、前記面板方向に係止する手段を備えた締結部で構成され、
前記締結部が、十文字軸方向に前記連結材の装着部を収容する空間を有し、
前記連結材の着脱を可能にする開口部が、十文字軸方向に垂直な方向に設けられた、
ことを特徴とする十文字型枠締結金具。
【請求項２】
前記締結部が、左右方向に設置される横方向連結材を左右方向に貫通させる空間を有し、前記中央基部の左及び右の位置で該横方向連結材を面板方向に係止する手段を備え、
かつ、前記締結部が、前記中央基部の上側と下側に、上下方向に設置される縦方向連結材の装着部を収容する空間を有して設けられ、
前記縦方向連結材の着脱を可能にする開口部が、上下軸方向に垂直な左又は右方向の何れかの方向に設けられ、
前記空間内の前記連結材を面板方向に着脱自在に係止する手段を備えた、
ことを特徴とする請求項１に記載の十文字型枠締結金具。
【請求項３】
前記中央基部の上側と下側に結合された締結部が、上下軸方向に見て開口方向が面板側の略コの字状に成形され、
前記連結材を係止する手段が、前記中心軸方向に平行に設けられた雌ネジとこれに螺設されたボルトで構成された、
ことを特徴とする請求項２に記載の型枠締結金具。
【請求項４】
正面視で、前記面板に平行な面を有して中央に中心軸方向に前記セパレータ貫通用の孔を備えた前記中央基部と、
該中央基部に十文字状に結合した４方向の締結部で構成され、
前記締結部の其々が、十文字軸方向に前記連結材を収容する直方体の空間を有し、
前記連結材の着脱を可能にする開口部が、十文字軸方向に垂直に、左右方向の横方向連結材に対しては手前方向又は上下方向、上下方向の縦方向連結材に対しては手前方向又は左右の何れか１方向に設けられた、
ことを特徴とする請求項１に記載の十文字型枠締結金具。
【請求項５】
前記締結部の開口方向が正面視で手前方向に形成され、
前記開口側両端辺の外側にフランジを設け、
前記開口部に装着された連結材が、押さえ板と前記フランジとの固定手段により、着脱自在に固定されることを特徴とする、
請求項１又は請求項４に記載の十文字型枠締結金具。
【請求項６】
前記締結部の開口方向が正面視で手前方向に形成され、
前記開口側両端辺の内側にフランジを設け、
前記開口部に装着された連結材が、前記開口部内に設置された矩形板に螺設した押さえネジにより、着脱自在に固定されることを特徴とする、
請求項１又は請求項４に記載の十文字型枠締結金具。
【請求項７】
前記締結部の開口方向が正面視で手前方向に形成され、
前記開口側両端辺の内側にフランジを設け、
前記開口部に連結材を装着し、前記フランジ下辺と装着した前記連結材の上面との間隙にクサビ板を挿入して着脱自在に固定されることを特徴とする、
請求項１又は請求項４に記載の十文字型枠締結金具。
【請求項８】
前記締結部の開口方向が正面視で手前方向に形成され、
前記開口側両端辺の内側にフランジを設けて成り、
前記連結材が、軸方向に垂直な断面が略コの字形状で成り、該軸方向両端部内側にボルトに螺着された菱形板ナットを備え、
前記締結部の開口側を覆うように装着し、
前記ボルトにより、前記フランジを前記連結材内側底面と前記菱形板ナットで挟みつけて固定することを特徴とする、
請求項１又は請求項４に記載の十文字型枠締結金具。
【請求項９】
正面視で、左と右の前記締結部が開口部を上方又は下方向に形成され、
上と下の前記締結部が開口部を左方又は右方向に形成され、
前記締結部の係止手段が、前記中心軸方向に平行に設けられた雌ネジとこれに螺設されたボルトで構成された、
ことを特徴とする請求項１に記載の十文字型枠締結金具。
【発明の詳細な説明】
【技術分野】
【０００１】  本発明は、中小規模のコンクリート打設用の型枠を構築する部材の締結方法に関する。
【背景技術】
【０００２】  従来、壁などのコンクリート打設用の型枠として、セパレータと呼ばれる両端側にネジ部を有する連結棒に、打設するコンクリートの厚さ相当の間隔で一対のＰコン（登録商標、以下同じ）と呼ばれる係止具を螺着し、両側からセパレータを挿通して仕上げ面を形成する面板が設置され、補強の端太材と呼ばれる骨組材と併せてフォームタイ（登録商標、以下同じ）と呼ばれる締め付け金具で固定する方法がある。（例えば、参考文献１参照）
また、既存の壁面を利用する例として、壁等の耐震補強のためのコンクリート増し厚工事や、劣化したコンクリート部を除去して修復する断面修復工事の際の型枠として、施工壁面にアンカーを固定、セパレータ、Ｐコンを装着、セパレータを通して面板を固定し、補強の骨組材をフォームタイで固定する方法がある。（例えば、参考文献２参照）【０００３】  前記の断面修復工事は、コンクリート構造物の、豆板、コールドジョイント、中性化、塩害、凍害等の原因で許容限度以上に劣化したコンクリート部を除去し、エポキシ樹脂モルタルやポリマーセメントなどの断面修復材で当初の断面寸法へ修復する工事であって、工法としては、左官コテにて修復材を塗り付けて充填する左官工法、次に断面修復部を型枠で閉塞して、グラウトポンプにより充填するグラウト工法、そして吹き付け機械による吹き付け工法がある。断面修復工事は、点在した小規模のコンクリート劣化部を補修するケースが多く、施工性、コスト面から左官工法が採用されることが多い。【０００４】  左官工法はポリマーセメントに水を混ぜて撹拌した流動性の高い修復材を左官コテにて塗り付けし充填を行うが、壁面や躯体底面を修復する場合、修復断面が厚い場合は修復材がだれないよう薄く、繰り返し塗り付ける作業となり、一度塗り付けし、その層がある程度自立して次の層の塗り付けが可能になるまで硬化時間を要する。又その塗り付け作業も左官工としての高い技能を要し、手間と時間を要する作業である。
【先行技術文献】
【特許文献】
【０００５】
【特許文献１】特開２００２−３２７５３３号公報（第４図）
【特許文献２】特開平１０−２２００２８号公報（代表図）
【発明の概要】
【発明が解決しようとする課題】
【０００６】  文献１には、「エキスパンドメタルを素材として構成された正面方形の垂直面（４Ａ）に、表側せき板部（２）、裏側せき板部（３）、鉄筋用網板（４）、ワッシャー（５）、Ｐコン（６）、締付けロッド（７）から構成される」ことが記載されている。
文献２には、コンクリート壁増厚工法として、「既設コンクリート壁に適宜の間隔で穿孔したアンカー穴に‥‥、セパレーターを螺着し、型枠を組み立てた後、フォームタイをセパレーターに接続し、型枠を締め付け、既設コンクリート壁と型枠間にコンクリートを打設する」との記載がある。【０００７】  図１に、文献１及び文献２で示される従来の技術を用いて、型枠を用いた断面修復工事を施工する場合の例を示す。（ａ）は型枠内の基礎を示すアンカー位置での断面図、（ｂ）は（ａ）の正面図、（ｃ）は型枠構造を示すアンカー位置での断面図、（ｄ）は（ｃ）の正面図である。
断面修復工事はアンカー１０、セパレータ２０、Ｐコン３０、面板４０、縦端太材３１、横端太材３２、フォームタイ２４、ナット等で構成することが考えられるが、図に示すように断面修復工事の施工箇所全体を一度に建込むことになる。
増し厚工事の場合は、断面修復工事のように劣化したコンクリートを除去する斫り工事は無く、アンカー固定部は既設の壁面であって、充填材の投入口となる型枠の上側に天井面以外は障害物がない状態で充填材投入ができる。
これ以外は断面修復工事と同様であって、充填材の投入箇所が、型枠最上段のみであって、縦寸法が長い場合は、修復箇所並びに増し厚箇所に空洞などの充填不足が発生しないようにするため、増し厚工事、断面修復工事ともに充填作業に時間と手間がかかるという課題がある。
本発明は、このような課題を解決することを目的とするものである。
【課題を解決するための手段】
【０００８】  前記の課題を解決するため、本発明は、型枠を用いてコンクリートや充填材を打設する施工において、所定の間隔で設けられたセパレータに、面板と十文字方向の連結材を組立解体自在に固定する金具であって、正面視で、前記面板に平行な面を有して中央に中心軸方向の前記セパレータ貫通用の孔を備えた中央基部と、該中央基部に結合されていて、前記セパレータを中心として、同一平面内で上下左右の十文字方向に設置される前記連結材を、前記面板方向に係止する手段を備えた締結部で構成され、前記締結部が、十文字軸方向に前記連結材の装着部を収容する空間を有し、前記連結材の着脱を可能にする開口部が、十文字軸方向に垂直な方向に設けられた、ことを特徴とする十文字型枠締結金具とする。
また、前記左右方向の締結部が、左右方向に設置される横方向連結材を、前記セパレータを上下に挟んで左右方向に貫通させる空間を有し、前記中央基部の左及び右の位置で該横方向連結材を面板方向に係止する手段を備え、かつ、前記上下方向の締結部が、前記中央基部の上側と下側に、上下方向に設置される縦方向連結材の端部（装着部）を収容する空間を有して設けられ、前記縦方向連結材の着脱を可能にする開口部が、十文字軸方向の前記中心軸から離れる端側及び上下軸方向に垂直な左又は右方向の何れかの方向に設けられ、前記空間内の前記連結材を面板方向に着脱自在に係止する手段を備えた、ことを特徴とする十文字型枠締結金具とするのが好ましい。【０００９】  また、前記中央基部の上側と下側に結合された、上下方向の締結部が、上下軸方向に見て開口方向が面板側の略コの字状に形成され、該締結部に備える連結材を係止する手段が、前記中心軸方向に平行に設けられた雌ネジとこれに螺設されたボルトで構成されたことを特徴とする十文字型枠締結金具とするのが好ましい。
また、正面視で、前記面板に平行な面を有して中央に中心軸方向に前記セパレータ貫通用の孔を備えた前記中央基部と、該中央基部に十文字状に結合した４方向の締結部で構成され、前記締結部の其々が、十文字軸方向に前記連結材を収容する直方体の空間を有し、該直方体の空間は十文字軸方向端側に開口されていて、かつ、前記連結材の着脱を可能にする開口部が、十文字軸方向に垂直に、左右方向の横方向連結材に対しては手前方向又は上下方向、上下方向の縦方向連結材に対しては手前方向又は左右の何れか１方向に設けられた、ことを特徴とする十文字型枠締結金具とするのが好ましい。
また、前記締結部の開口方向が正面視で手前方向に形成され、前記開口側両端辺の外側にフランジを設け、前記開口部に装着された連結材が、押さえ板と前記フランジとの固定手段により、着脱自在に固定されることを特徴とする、十文字型枠締結金具とするのが好ましい。【００１０】  また、前記締結部の開口方向が正面視で手前方向に形成され、前記開口側両端辺の内側にフランジを設け、前記開口部に装着された連結材が、前記開口部内に設置された矩形板に螺設した押さえネジにより、着脱自在に固定されることを特徴とする、十文字型枠締結金具とするのが好ましい。
また、前記締結部の開口方向が正面視で手前方向に形成され、前記開口側両端辺の内側にフランジを設け、前記開口部に連結材を装着し、前記フランジ下辺と装着した前記連結材の上面との間隙にクサビ板を挿入して着脱自在に固定されることを特徴とする、十文字型枠締結金具とするのが好ましい。
また、前記締結部の開口方向が正面視で手前方向に形成され、前記開口側両端辺の内側にフランジを設けて成り、前記連結材が、軸方向に垂直な断面が略コの字形状で成り、該軸方向両端部内側にボルトに螺着された菱形板ナットを備え、前記締結部の開口側を覆うように装着し、前記ボルトにより、前記フランジを前記連結材内側底面と前記菱形板ナットで挟みつけて固定することを特徴とする、十文字型枠締結金具とするのが好ましい。【００１１】  また、正面視で、左と右の前記締結部が開口部を上方又は下方向に形成され、上と下の前記締結部が開口部を左方又は右方向に形成され、前記締結部の係止手段が、前記中央基部に平行に結合された手前の表板に前記中心軸方向に平行に設けられた雌ネジと、これに螺設されたボルトで構成され、前記連結材を面板方向に着脱自在に係止することを特徴とする十文字型枠締結金具とするのが好ましい。
【発明の効果】
【００１２】  本発明の十文字型枠締結金具を使用し、連結材の後付け連結作業が可能になり、その結果型枠を充填方向に分割して施工することができる。型枠を階層状に分割して組立てることで、断面修復の修復材投入、充填作業を短時間に簡単に施工できる。
又、断面修復型枠に防寒養生材を接続、組み立てることで、小規模な防寒用の囲い養生設備を簡単に設置でき、冬期間の施工コストの低減が可能になる。
増し厚や充填厚の薄い小規模の型枠工事に本発明の十文字型枠締結金具を使用すれば、在来の型枠組立工法よりも資材費並びに施工手間の削減が可能になる。【００１３】  本発明は、おもに、型枠の施工が難しい片面が既設の壁などを利用した断面修復用の型枠と増し厚工事用の型枠について説明しているが、本発明の十文字型枠締結金具を用いた型枠工法は、一般の両面型枠についても利用ができ、また、鉛直な躯体に限らず勾配を有する躯体の型枠にも利用ができる。
【図面の簡単な説明】
【００１４】
【図１】従来の断面修復工事の型枠施工の説明図である。（ａ）は型枠内の基礎を示す断面図、（ｂ）は（ａ）の正面図、（ｃ）は型枠構造を示す断面図、（ｄ）は（ｃ）の正面図である。
【図２】本発明の枠施工の説明図である。（ａ）は型枠構造を示す断面図、（ｂ）は（ａ）の正面図である。
【図３】従来の基礎部を断面で示す説明図である。（ａ）は基本構造、（ｂ）は長尺縦補強材装着の説明図である。
【図４】本発明実施例１の説明図である。（Ａ）は基本構造、（Ｂ）は変形例である。（ａ）は正面図、（ｂ）は（ａ）の左側面図、（ｃ）は（ａ）の右側面図、（ｄ）は（ａ）の平面図である。
【図５】実施例１の連結材の構築を示す説明図である。
【図６】本発明実施例２の説明図である。（ａ）は基本構造、（ｂ）は（ａ）の変形例である。
【図７】実施例２の連結材の構築を示す説明図である。
【図８】本発明実施例３の説明図である。（ａ）は基本構造、（ｂ）は（ａ）の変形例である。
【図９】実施例３の説明図である。（ａ）は連結材の構築、（ｂ）は連結材固定部の説明図である。
【００１５】
【図１０】本発明実施例４の説明図である。（ａ）は基本構造、（ｂ）は（ａ）の変形例である。
【図１１】実施例４の説明図である。（ａ）は連結材の構築、（ｂ）はクサビ板の説明図である。
【図１２】実施例４の連結材の説明図である。
【図１３】本発明実施例５の説明図である。（ａ）は基本構造、（ｂ）は（ａ）の変形例である。（ｃ）は菱形板ナット、（ｄ）は連結材の説明図である。
【図１４】実施例５の作用を示す説明図、（ａ）は菱形板ナット固定時の正面図、（ｂ）は（ａ）のＡ−Ａ矢視断面図、（ｃ）は（ａ）のＢ−Ｂ矢視断面図である。（ｄ）は菱形板ナット開放時、（ｅ）は（ｄ）のＣ−Ｃ矢視断面図である。
【図１５】実施例５の連結材と補強材の構築の説明図である。
【図１６】本発明実施例６の説明図である。（ａ）は基本構造、（ｂ）は（ａ）の変形例である。
【図１７】実施例６の全体構成の説明図である。（ａ）は型枠構造を示す断面図、（ｂ）は（ａ）の正面図である。
【図１８】傾斜面十文字型枠締結金具の正面斜視図である。
【図１９】天井下部施工の説明図である。
【発明を実施するための形態】
【００１６】本発明の実施形態を図２〜図１９に基づいて詳細に説明する。
図２は、本発明を断面修復工事の型枠施工の例で示す説明図である。（ａ）は型枠構造をアンカー位置での断面で示す説明図、（ｂ）は（ａ）の正面図である。
図に示すように、コンクリートの劣化した部分を除去した施工基準面Ｃに所定の間隔でアンカー１０を削孔、定着し、これにセパレータ２０をネジ部で着脱自在に装着、セパレータ２０に通してＰコン３０を装着する。図でアンカー位置の横方向の間隔（ピッチ）をＰｔ、縦方向の間隔をＰｖと示した。つぎに面板４０に孔をあけてセパレータ２０を貫通してＰコン３０の端面に当接させて装着し、十文字型枠締結金具６０が装着される。
【００１７】  図３（ａ）に、セパレータ、Ｐコン等基礎部の詳細を示す。施工基礎面Ｃにアンカー１０が固定され、ネジで連結された長さＢＳ２のセパレータ２０に、施工基礎面Ｃから仕上げ面位置Ａまでの間隔ＢＳ１の位置にＰコンが装着され、Ｐコンに当接して面板４０が設置され、十文字型枠締結金具６０を装着してセパレータナット２１で固定される。
図３（ｂ）は、（ａ）に加え、セパレータ２０にセパレータ接続高ナット２２で増しセパレータ２３が接続され、十文字型枠締結金具６０の上から２本の長尺補強材４４を当ててフォームタイ２４とナットで締め付け固定される状態を示す。
なお、前記のコンクリートの劣化した部分を除去した空間Ｅに鉄筋等が存在する場合があるが、ここでは省略して説明する。また新たに鉄筋等補強部材を組み入れる場合もここでは省略する。
【００１８】  ここで、本発明の十文字型枠締結金具６０について説明する。
本発明の十文字型枠締結金具６０は、正面視で、面板４０に平行な面を有して中央にセパレータ貫通用の孔６１ｂを備え、セパレータ２０とセパレータナット２１で面板方向に係止される中央基部６１と、セパレータの位置を中心として、同一平面上で十文字方向に配置される連結材４５（縦方向連結材４５ａ、横方向連結材４５ｂ）を面板４０の方向に係止又は固定する手段を備えた締結部６２で構成される。
この時、連結材４５がセパレータ２０の位置を中心として、同一平面上で十文字方向に交差する状況は、４方向の所定長さの連結材がそれぞれ単独に垂直に設置される場合と、上下方向と左右方向の一方の連結材が長尺に連続していて他方がそれぞれ単独にこれに垂直に設置される場合が考えられる。これに対応して、中央基部６１に結合して４方向に締結部６２を設けた場合は、４方向の連結材がそれぞれ単独に着脱自在にできる。上下、左右のどちらか一方に連続した連結材が設置される場合は、連続した連結材を貫通させて係止する適宜の手段を中央基部６１に結合して設け、他方向に単独な連結材を係止する締結部６２を設ける。
【００１９】  前記締結部６２は、十文字軸方向に連結材の装着部を収容する空間を有し、連結材の着脱を可能にする前記空間の開口は、十文字軸方向の前記中心軸から離れる端側及び十文字軸方向に垂直な方向に設けられている。
本発明では、十文字型枠締結金具６０は、型枠締結金具同士を連結する連結材４５を、十文字軸方向に垂直な方向の開口部Ｋ方向から着脱自在に係止する締結手段を備えている。該締結手段は種々の方法があり後述する。
【００２０】  次に、横方向、縦方向の十文字型枠締結金具６０同士を連結する方法について説明する。
図２に示すように、最下層の１層目として、充填する高さを顧慮した寸法Ｈ１の面板４０を設置し十文字型枠締結金具６０を取り付けた後、水平方向に向かい合う十文字型枠締結金具同士の締結部６２の開口部に所定寸法の横連結材４５ｂを取り付け、締結部６２に設けられた締結手段で連結する。
この際、連続した長尺の横連結材４５ｂを採用することもできる。この場合は、セパレータ２０を通して面板４０を取り付けた後、セパレータを挟んで上下に２本の横連結材４５ｂを横方向に配して上から横方向の十文字型枠締結金具６０を順次装着してセパレータナット２１で締め付け固定する。
これによって、型枠を構成する型枠単組１ａとして１層目の型枠が構築される。
この後、修復材を投入、充填を行い１層目の断面修復作業を行う。
次に、１層目と同様に、２層目の面板を装着した後、水平方向に向かい合う十文字型枠締結金具６０同士を連結し、２層目の型枠単組１ａを構築する。
次に、縦方向に向かい合う十文字型枠締結金具６０の締結部６２の開口部Ｋに所定寸法の縦連結材４５ａを取り付け、締結手段で連結して、１層目と２層目の型枠単組１ａを連結する。この時、下段と上段の面板の間に断面がＨ字形状の面板連結金具７０を装着し、下段と上段の面板４０の連結を強化する。この後、２層目の修復材を投入、充填を行う。
以下同様に、図２に示すＨ１、Ｈ２、Ｈ３のように、それぞれの型枠を分割して型枠単組１ａとし、層状に段階的に構築する。
本発明では、十文字型枠締結金具６０と連結材４５の連結によっていわゆる型枠骨組材の役割を担う。
【００２１】  断面修復工事の場合、修復最上段は図２に示すように、壁の上部が突出し、閉塞されるので、下記の、傾斜面十文字型枠締結金具６０Ｋを使用して漏斗状の投入口を設けて最上段の充填を行う。
本発明の十文字型枠締結金具６０は、平面用の十文字型枠締結金具６０の他に、屈曲面用の傾斜面十文字型枠締結金具６０Ｋを備える。図１８に示すように傾斜面十文字型枠締結金具６０Ｋは、４方向のうちの上方の１方向が屈曲して傾斜した構造とする。図２ほかで示される充填材の投入口の傾斜面の構築などに使用する。
【００２２】  ここまで説明したように、本発明の十文字型枠締結金具は、一旦、十文字型枠締結金具６０を設置した後に、補強のための連結材４５を後付けで連結できるという機能を有する。このことによって前記のように型枠を上下に分割して階層状に構成できる。さらに必要に応じて左右方向にも分割して構築することもできる。
ここまで、図２を例に説明してきたが、後述する実施例についても同様に考える事ができる。
なお、本発明で記載する方向の定義に関し、図５に示すように、正面視における上方向、左方向、手前方向を、互いに垂直な３軸の座標において図示のように定義する。
【実施例１】
【００２３】  図４、図５に本発明の実施例１を示す。図４（ａ）は基本構造、（ｂ）は変形例である。本実施例は、横方向の連結材４５ｂが十文字型枠締結金具６０を左右に貫通した構造の例である。図で示す例は、横方向の連結材４５ｂがセパレーター２０を上下に挟んで設置される２本の単管の場合の例である。（なお、図の実施例は、機能的に分割されるが構造的には一体であるので、説明上、中央基部６１と締結部６２の境界に線を記した。）
図４（ａ）に示す本実施例の基本構造は、正面視で、中央基部６１の基礎面部に垂直に、上下軸方向に見て開口方向が面板側の略コの字状に左右の補強部３６が設けられ、該補強部３６に単管に当接する端辺が円弧状に形成された押さえ部３６ａが備えられて、十文字型枠締結金具６０がセパレータナット２１で締められることによって、単管は押さえ部３６ａで押されて面板４０に当接して固定される。この時の単管は、連続していても良いし、左右の押さえ部３６ａの間で分離していて、端部がそれぞれ押さえ部３６ａで固定されても良い。いずれの場合にも適応できる。
上下方向の締結部６２は、中央基部６１の上側と下側に設けられ、其々が、上下軸方向に見て開口方向が面板側の前記の略コの字状を軸方向に延伸した形状で、手前側の面板に平行に形成された係止手段支持部３７と、これに垂直な（面板方向の）補強部３８ａ、３８ｂで形成され、さらに補強部３８ｂの端辺部に垂直な（面板に平行に）底板３９が設けられる。前記の装着された単管が面板に当接した状態で同時に底板３９が面板に当接するようにしている。
上下方向の締結部６２は上下軸方向に縦方向連結材の端部（装着部）を収容する空間を有して、其々が上と下端側に開口されていて、縦方向連結材の着脱を可能にする開口部Ｋが、上下軸方向に垂直な左右方向の何れか、図の例では左側に設けられている。このため開口側の補強部３８ａは開口部Ｋを設けるために切り欠いた形状となっている。補強部３８ａ、３８ｂは強度部材であるほか、補強部３８ｂは縦方向連結材を装着する際の位置決めの役割も担う。【００２４】  係止手段支持部３７の適宜位置に前記中心軸方向に平行に雌ネジ５１が設けられ、これに螺設されたボルト５２を締めることによって、挿入した縦方向連結材４５ａを底板３９に押し付けて固定する。縦方向連結材４５ａは底板３９の板厚分だけ面板から離れるので、この間隙に図６（ａ）で示すスペーサー４６を装着するのがよい。
図には、ボルト５２の先端に回転自在に当て金具５３が設けられていて、連結材への当接時の回転の摩擦を考慮したもので、搬送時のボルト５２の脱落も防止できる。連結材の断面形状が長方形でも円形でも対応可能に、図に示すように軸方向に垂直な断面形状が、先端側に平面部を有し中央側が傘状の凹形状としている。これは特に連結材が木材の場合に好ましい。
図４（ｂ）の変形例は、（ａ）の基本構造と比べて、底板３９を設けない構造であって、縦方向連結材の着脱を可能にする開口部Ｋが、図の例では左側に設けられていて、補強部３８ａ、３８ｂの面板方向長さは適宜の長さであって、補強部３８ａの方が開口のため切り欠いて短くなっている。このほかは、（ａ）の基本構造と全く同一の構成である。
係止手段支持部３７の雌ネジ５１に螺設されたボルト５２を締めることによって、縦方向連結材を介して作用する面板の負荷に抗して、縦方向連結材４５ａを面板方向に押し付けて係止する。
前記基本構造の場合には、縦連結材４５ａがボルト５２によって底板３９に押さえられて固定され、十文字型枠締結金具６０同士の締結が強固になるのに対し、本例の作用は、縦連結材４５ａは、ボルト５２によって直接面板に押し付けられるという違いがある。どちらを採用するかは利用者の目的による。
【実施例２】
【００２５】  図６に本発明の実施例２を示す。締結手段を、フランジ６３と押さえ板７１で構成した例である。図６（ａ）は、本実施例の基本構造である。（ｂ）は変形例である。
本例の締結部６２は、底板３４ａの両側に壁板３４ｂを形成し、十文字４方の軸方向に見て略コの字状で、正面視で開口部Ｋが手前方向に構成され、壁板３４ｂの開口部外側に突出してフランジ６３が底面部６１ａに平行に設けられる。壁板３４ｂはフランジ６３を支持する強度部材で、底板３４ａとともに補強壁板３５に結合されている。フランジ６３には係止孔６３ａを備える。
底板３４ａと前記中央基部６１の底面部６１ａの面板側は同一面上に配されて面板４０に均一に当接するのがよい。
この例の締結手段は、前記の係止孔６３ａを備えたフランジ６３、及び該フランジ対応の孔７１ａを有する押さえ板７１、ボルト７３、ナット７４で構成される。締結部６２の開口部Ｋに連結材４５を装着し、係止孔６３ａを利用して押さえ板７１をボルト７３、ナット７４で連結材４５の上から着脱自在に固定する。図４（ｂ）に示すように、押さえ板７１の一方のボルト取り付け穴７１ａを切り欠いてフック状孔７１ｂとすると組立解体に有効である。【００２６】  ここで、開口部Ｋに左右方向の連結材４５ｂを装着する際、下側の壁板３４ｂが連結材４５ｂの一時的な受け座の役割、補強壁板３５が左右の位置決めに役立つ。上下方向の連結材４５ａの場合は、左右の壁板３４ｂが位置決め、上側の連結材４５ａのみであるが壁板３４ｂが受け座として寄与する。
ここで使用される連結材４５は、図１１等で示されるような断面が略Ｃ字形や外形が略長方形の鉄製の成形体でもよいし、図７のように従来から型枠骨組材として使用される木材の端太材でもよい。図には、連結材４５の略中間部位に面板４０との間隙を埋めるため図ではＬ字状のスペーサー４６が設けられて、十文字型枠締結金具６０の裏面と同一の平面で面板に当接するようにされている。スペーサー４６は面板４０との間隙に差し込んでもよいし、予め連結材に固定してあってもよい。
前記において、フランジ６３の係止孔６３ａに代えて前記フランジに雌ネジ加工されたフランジ雌ネジ６３ｂを設けることができる。この場合は、連結材４５の上から押さえ板７１を当て、孔７１ａに通したボルト７３でフランジ雌ネジ６３ｂに固定される。【００２７】  つぎに、図６（ｂ）に、本例の変形例について説明する。
本例の締結部６２は、前記の構成において説明した底板３４ａを設けずに、平行な一対の壁板３４ｂを中央基板に結合した構造であって、正面視で開口部が手前方向に構成される。壁板３４ｂはフランジ６３を支持する補強部材で、補強壁板３５に結合されている。
壁板３４ｂの端部は前記中央基部６１の底面部６１ａと同一平面上に配されて面板４０に均一に当接する。この壁板３４ｂの端部は、（図示しないが）面板との当接する部分の面積を大きくする目的で外側にフランジ状に設けることもできる。
その他の構成及び締結手段は、前記の基本構造と全く同一である。【００２８】  前記基本構造の場合には、連結材４５が押さえ板７１によって底板３４ａに押さえられて固定され、十文字型枠締結金具６０同士の締結が強固になるのに対し、本例の作用は、連結材４５は、押さえ板７１によって直接面板に押し付けられるという違いがある。どちらを採用するかは利用者の目的による。
本発明の締結部６２の形状・構造に関しては、前記の例で示されるように、締結部６２は、主に断面が長方形（円管も可能）の連結材４５を内挿して固定する役割であるので、締結部６２の内部の構造は、直方体を内挿できる空間を有する構造であって、かつ少なくとも１方向に連結材４５が着脱可能な開口部を有する。したがって外形が直方体状である必要はなく、種々の形状にデザインされてよい。
【実施例３】
【００２９】  図８、図９に本発明の実施例３を示す。本例は、締結手段を、フランジ６４、矩形板５５、押さえネジ５６で構成された例である。図８（ａ）は本実施例の基本構造、（ｂ）は変形例である。
図８（ａ）に示す本実施例の基本構造は、中央基部６１に十文字方向に結合した４方向の締結部６２で構成される。締結部６２は、底板３４ａの両側に壁板３４ｂを形成し、十文字４方の軸方向に見て略コの字状で、正面視で開口部Ｋが手前方向に構成され、フランジ６４が壁板３４ｂの開口内側に突出して中央基部底面部６１ａに平行に設けられる。壁板３４ｂはフランジ６４を支持する強度部材で、底板３４ａとともに補強壁板３５に結合されている。
両側のフランジ６４の間の空間が開口部Ｋであって、幅寸法は、前記実施例と同様、開口部に装着される連結材のサイズや、アンカーの位置のばらつきによる十文字型枠締結金具の位置、姿勢の不揃いを許容する大きさとしている。
図９に示す本例の締結手段は、フランジ６４及び、矩形板５５、押さえネジ５６で構成される。
矩形板５５は、中央に雌ネジ５５ａを備えた長方形の板状で成り、押さえネジ５６が雌ネジ５５ａに螺着されて設けられる。矩形板５５は、押さえネジ５６に作用する面板４０の負荷を支持するとともに、矩形板の角が壁板３４ｂに当たって回転を阻止する役割を担う。このため、矩形板５５の大きさは、長方形の１辺の長さは前記の平行な壁板３４ｂの内間隔よりわずか小さい寸法とする。【００３０】  押さえネジ５６が螺着された矩形板５５は、締結部６２の開口部Ｋ内に挿入された連結材４５の上側に配されるように、締結部６２の軸方向開口からフランジ６４の内側に装着される。この状態で押さえネジ５６を締めると、長方形の矩形板５５は回転が阻止され開口側に移動してフランジ６４の裏側に当接し、押さえネジ５６を更に締めると押さえネジの先端が連結材を押し付け、連結材は底板３４ａとの間に固定される。押さえネジ５６の先端には回転摩擦を許容する当て金具５６ａを設けるのがよい。
これによって連結された十文字型枠金具同士が強固に締結される。面板から連結材４５を介して作用する負荷は押さえネジ５６が支えることになる。
図８（ｂ）に示す変形例は、前記の基本構造に対して、底板３４ａを設けない構造であり、その他は全く基本構造と同一である。この例の場合は、押さえネジ５６によって支持された連結材４５は直接面板に作用する。
なお、本例では、図に示すように、フランジ６４は壁板３４ｂの開口内側の９０°に曲げられて設けれれているが、本発明はこの形状に制限されるものではなく、例えば９０°を超えて曲げられた形状も含まれる。また、フランジは内側に曲げられた形状に制限されるものではなく、外側に向けて形成し、前記矩形板５５と該フランジとを適宜の手段で係止することも含まれる。
【実施例４】
【００３１】  図１０〜図１２に本発明の実施例４を示す。本発明の締結手段が、フランジ６４とクサビ板７２で構成された例である。図１０（ａ）は本実施例の基本構造、（ｂ）は変形例である。
図１０（ａ）、（ｂ）に示すように、中央基部６１に十文字方向に結合した４方向の締結部６２で構成され、締結部６２にフランジ６４が設けられるなど基本的な構造は、図で例したフランジ長をＷ１として短くした他は、前記実施例３に示された構造と同一である。
図１１に、締結手段について説明する。本例で用いる連結材４５は、断面が長方形の木材でも使用可能ではあるが、断面がコの字形状の開口している鋼板の連結材が好ましい。この場合の締結手段は、前記フランジ６４及び、開口部Ｋに沿って締結部６２に装着した連結材との間隙に挿入して固定する図１１（ｂ）に示すクサビ板７２で構成される。【００３２】  クサビ板７２を、フランジ６４下面と装着した連結材４５の上面との間隙に軸方向に沿って挿入させ、間隙を埋めることによって、連結材４５は底板３４ａに押し付けられて固定される。これによって連結された十文字型枠金具同士が強固に締結される。面板から連結材４５を介して作用する負荷はフランジ６４が支えることになる。
図１０（ｂ）に示す変形例は、前記の基本構造に対して、底板３４ａを設けない構造であり、その他は全く基本構造と同一である。この例の場合は、クサビ板７２によって支持された連結材４５は直接面板に作用する。【００３３】  クサビ板７２を挿入したとき、クサビ板７２が最初に当接する箇所がフランジ６４の端部である。十文字型枠締結金具６０の配置の間隔が広い場合は問題ないが、狭い場合は挿入するクサビ板７２同士が干渉し合って挿入できないという問題がある。
この解決策として、締結部６２の軸方向長さを短くすることも考えられるが、図１０に示すように、面板４０の負荷を支える締結部６２の軸方向の底辺長さを変えずに、フランジ長さを短くして、図で示すように、フランジ長さＷ１として、クサビ板７２との当接をフランジ端部の図の支持点６４ａとし、クサビ板７２同士に間隔ができ干渉を防ぐことができる。
図に示すクサビ板は、挿入時は挿入方向にクサビ板端部を打ちつけることにより、解体時はクサビ板に設けた孔７２ａを利用して適宜工具を当てて抜き取ることができる。【００３４】  また、図１２に示すように、クサビ保持機能を設けることができる。開口部を上にしてフランジを有する連結材４５の両端側に載せた状態で、ボルト７８を回転自在に備えた左右のクサビ板７６を設け、ボルト７８の下方端には、連結材の内部でフランジの下方に、連結材の内寸法より適宜に小さい長方形の回転止片７６を螺着して設ける。連結材の両端の下端は、ボルトに螺着していない時の回転止片７６が組立時に通過できる隙間を残して閉塞されている。これによってクサビ板は通常の状態で使用でき、紛失することを防ぐ事ができる。
【実施例５】
【００３５】  図１３〜図１５に本発明の実施例５を示す。締結手段が、フランジ６５と菱形板ナット６７で構成された例である。図１３（ａ）は本実施例の基本構造、（ｂ）は変形例である。
図１３（ａ）に示す基本構造は、中央基部６１に十文字方向に結合した４方向の締結部６２で構成され、締結部６２は、底板３４ａの両側に壁板３４ｂを形成し、十文字４方の軸方向に見て略コの字状で、正面視で開口部が手前方向に構成され、フランジ６５が、壁板３４ｂの開口辺内側に突出して設けられる。
図１３（ａ）に示すように、フランジ６５が側面から９０°を超えて内側に曲げられていて、フランジ６５と後述の菱形板ナットとの効果的な当接を期待したものであるが、フランジ６５は壁面から９０度に曲げられた形状であっても構わない。本例では両側のフランジ６５の間の空間を開口部Ｋとする。【００３６】  図１４に、締結手段について説明する。連結材４５は、軸方向に垂直な断面の形状が、開口部が下向きのコの字形状の鋼材で形成する。
連結材４５の開口部の幅寸法は、アンカーの位置のばらつきによる十文字型枠締結金具の位置、姿勢の不揃いを許容する大きさとする。
図１３の（ｄ）に示すように、本例の連結材４５は開口部の端辺が外向きにフランジ６９を有した例で示したが、軸方向の曲げ強度向上のために設けたもので機能的要素は有しない。フランジを設けなくとも構わない。
図に示すように、上面の両端側にボルト７５を貫通するボルト孔６５ａを備える。連結材４５は、連結する一対の十文字型枠締結金具６０の開口部Ｋを有する締結部６２に被せて使用される。
この場合の締結手段は、前記フランジ６５、菱形板ナット６７、連結材４５とそのボルト孔６５ａ、ボルト７５で構成される。
図で菱形板ナット６７について説明する。図１３（ｃ）に示すように、菱形板ナット６７は対辺に直角な間隔寸法が短幅Ｂ１と長幅Ｂ２の不等辺の平行四辺形で成り、本例では、鋭角部が略７０°として、短幅Ｂ１は十文字型枠締結金具６０の開口部Ｋ幅寸法より適宜小さく、長幅Ｂ２は締結部６２の壁板３４ｂの内間隔より適宜小さい寸法とし、中央部に、ボルト７５が装着される雌ネジ６７ａが設けられている。【００３７】  図１４（ｄ）、（ｅ）に示すように、連結材４５の両端側のボルト孔６５ａに装着されたボルト７５の先端側ネジ部に、ボルト頭部下端から適宜間隔を有して菱形板ナット６７が螺着されて、菱形板ナット６７の短幅の辺方向を締結開口部Ｋ方向に合わせ、連結する一対の対向する十文字型枠締結金具締結部６２の開口部Ｋに挿入して被せ、本例では右ネジのボルト７５を右回転で締めることにより、菱形板ナット６７が略７０°回転したところで長幅の辺部が十文字型枠締結金具の内壁に当接して、この状態でボルトを締めることにより、フランジ６５が菱形板ナット６７と連結材４５に挟み込まれた状態で固定される。図１３の（ｄ）に示すように、連結材４５の両端部に、装着された菱形板ナット６７の位置状況を目視できるように切欠き窓６８を設けている。
なお、この状態で連結材４５の側面部下端は十文字型枠締結金具６０の底面部と同一平面位置となって面板に当接するようにしている。
図１３（ｂ）に示した変形例は、前記基本構造に対して、底板３４ａを設けていない構造であってその他は全く基本構造と同一である。平行な一対の壁板３４ｂは、中央基礎部の底面部と同一平面位置となって面板に当接するようにしている。
図１５に本実施例の連結材を構築した例を示す。併せて縦方向に長尺補強材４４を取り付けて補強した状況を示す。セパレータにセパレータ接続高ナット２２を用いて増しセパレータ２３を接続し、十文字型枠締結金具６０の上に設置した長尺補強材４４の上からフォームタイ２４を装着してセパレータナット２１で固定する。
【実施例６】
【００３８】  図１６、図１７に本発明の実施例６を示す。本発明の締結部が、連結材４５を横方向から装着する構造の例として示したものである。図１６（ａ）に、本例の基本構造を示す。底面中央の中心軸方向に前記セパレータ貫通用の孔６１ａを備えた中央基部６１と、この中央基部に十文字方向に結合した４方向の締結部６２で構成される。
本例の締結部６２は、底板８２ａとこれに平行な表板８２ｃと壁板８２ｂで形成され、十文字４方の軸方向に見て略コの字状で、正面視で、左と右の締結部６２が開口部Ｋを上方向に形成され、上と下の該締結部６２が開口部Ｋを左又は右の何れか一方向、図では左方向に形成される。これら締結部は補強壁板８１により強固に中央基礎部に結合している。
底板８２ａは、前記中央基部６１の底面部６１ａと同一平面上に配され、面板４０に均一に当接する。
本例の締結手段は、十文字４方向の締結部６２の前記表板８２ｃに前記中心軸方向に平行にに固定ナット８３を設け、これに螺着して設けたボルト８４を締めることにより、連結材４５に当接して押し付け固定する。これにより、面板から連結材４５を介して作用する圧力は、ボルト８４先端で受けることになる。ボルト８４の先端には、実施例３と同様に、回転摩擦を許容する当て金具５６ａを設けるのがよい。【００３９】  つぎに、図１６（ｂ）に、本例の変形例について説明する。
本例の締結部６２は、前記の構成において説明した底板８２ａを設けずに、壁板８２ｂと表板８２ｃが補強壁板８１により強固に中央基礎部に結合された構造である。
壁板８２ｃの端部は前記中央基部６１の底面部６１ａと同一平面上に配され、面板４０に均一に当接するのが好ましい。その他の構成は、前記の基本構造とまったく同一である。
前記基本構造の場合には、連結材４５が固定ナット８３に螺設されたボルト８４を締めることにより、連結材４５を底板８２ａに押し付け固定する。逆にボルトを緩めることにより、連結材４５を取り外すことができる。これにより、面板から連結材４５を介して作用する圧力は、ボルト８４先端で受けることになる。
前記基本構造の場合には、連結材４５は表板８２ｃの固定ナット８３に螺設されたボルト８４によって底板３４ａに押さえられて固定され、十文字型枠締結金具６０同士の締結が強固になるのに対し、本例の連結材４５は、ボルト８４によって直接面板に押し付けられる。どちらを採用するかは利用者の目的による。
図１７に本実施例の全体構成を示す。図では縦方向に補強した例を合わせて示しており、正面図のＭ１の状態に加え、２本の長尺端太材４４を上下方向に設置した状態をＭ２として示している。
なお、ここまで説明してきた実施例は、それぞれの例で使用することは無論、それらを組み合わせて使用することもできる。【００４０】  最後に、本発明の型枠を使用した施工方法について説明する。
図２等でこれまで説明したように、１層目として、充填する高さを顧慮した寸法Ｈ１の面板４０をセパレータ２０に通して設置、その上から本発明の十文字型枠締結金具６０を通してセパレータナット２１で絞めて固定する。
横方向に隣り合う十文字型枠諦結金具同士に所定寸法の横連結材４５ｂを取り付け、締結手段で連結固定する。これで１層目の型枠が構築され、修復材を投入充填する。
次に、２層目は１層目と同様、横方向の十文字型枠締結金具６０同士を横連結材４５ｂで連結し、２層目が構築される。その上で、次に縦方向の対向する十文字型枠締結金具６０同士を縦連結材４５ａで固定し、２層目のＨ２の高さに修復材を投入充填する。
３層目以降は、このように繰り返し階層ごとの型枠単組１ａを積み上げ連結し、修復材を投入充填する。
型枠の補強を強化するには、セパレーター２０に増しセパレータ２３を連結してセパレータの長さを廷長し、長尺端太材４４を十文字型枠締結金具６０の上に設置しフォームタイ２４で固定する。
最上層の最終箇所では図１７ほかに示すように傾斜用の十文字型枠締結金具６０Ｋを使用して漏斗状に組み立て、投入口Ｆを設けて最上段の充填を完了させる。【００４１】  充填材の硬化が確認されたら、型枠材を撤去し、充填剤投入口の傾斜部の突出した部分を斫り落とす。Ｐコンを使用している場合はこれを取り外し、Ｐコン抜き部の孔埋めを含めて表面を左官仕上げし作業完了となる。
梁底面の躯体底面の施工においても、十文字型枠締結金具６０を用いて施工が可能である。図１９に示すように、前記のように階層状に型枠を構築し、階層ごとに、傾斜面十文字型枠締結金具６０Ｋを利用して、填材投入容器９０で充填剤を押し込みながら充填できる。
また、ハンチ等の傾斜面についても傾斜面十文字型枠締結金具の傾斜角度を調整して同様の作業が可能である。
本発明はこれまで、おもに片面が既設の壁などを利用した断面修復用の型枠と増し厚工事用の型枠について説明しているが、本発明の十文字型枠締結金具を用いた型枠工法は、一般の型枠や勾配を有する型枠をも対象に利用ができ、中小規模の型枠工事に有効である。
【符号の説明】
【００４２】１    断面修復型枠の全体構成
１ａ  型枠単組
１０  アンカー
２０  セパレータ
２１  セパレータナット
２２  セパレータ接続高ナット
２３  増しセパレータ
２４  フォームタイ
３０  Ｐコン
４０  面板（面板）
４１  端太材
４４  長尺補強材
４５  連結材
４５ａ  縦連結材
４５ｂ  横連結材
４６  スペーサー
６０  十文字型枠締結金具
６０Ｋ  傾斜面十文字型枠締結金具
６１  中央基部
６１ａ  底面部
６１ｂ  セパレータ貫通孔
６２  締結部
６３  フランジ
６５  フランジ
６７  菱形板ナット
６７ａ  雌ネジ
７０  面板連結金具？？？
７２  クサビ板
９３  充填材投入容器
Ａ    仕上面
Ｃ    施工基準面
Ｋ    開口部
ＳＢ１  施工基準面から仕上げ面までの間隔
ＳＢ２  セパレータ長さ
【図１】
2018178683.tif 000003
【図２】
2018178683.tif 000004
【図３】
2018178683.tif 000005
【図４】
2018178683.tif 000006
【図５】
2018178683.tif 000007
【図６】
2018178683.tif 000008
【図７】
2018178683.tif 000009
【図８】
2018178683.tif 000010
【図９】
2018178683.tif 000011
【図１０】
2018178683.tif 000012
【図１１】
2018178683.tif 000013
【図１２】
2018178683.tif 000014
【図１３】
2018178683.tif 000015
【図１４】
2018178683.tif 000016
【図１５】
2018178683.tif 000017
【図１６】
2018178683.tif 000018
【図１７】
2018178683.tif 000019
【図１８】
2018178683.tif 000020
【図１９】
2018178683.tif 000021